(57)【要約】【課題】容易かつ迅速に、必要な機能部分だけを省電力モードから通常動作モードへ復帰させること。【解決手段】画像形成装置１００は、複数の機能を実行する複数の機能実行部１０１〜１０４と、複数の機能から、実行する機能の選択操作を受ける機能選択部１２２と、複数の機能実行部１０１〜１０４への電力の供給が制限されている省電力モードにおいて、機能選択部１２２が選択操作を受けた場合に、複数の機能実行部１０１〜１０４の中から、選択操作により選択された機能の実行に必要な機能実行部１０１〜１０４を特定し、特定された機能実行部１０１〜１０４への電力の供給の制限を解除する制御部１０５と、を備える。【選択図】図１
2014079963.tif 000002
【特許請求の範囲】
【請求項１】
複数の機能を実行する複数の機能実行部と、
前記複数の機能から、実行する機能の選択操作を受ける機能選択部と、
前記複数の機能実行部への電力の供給が制限されている省電力モードにおいて、前記機能選択部が選択操作を受けた場合に、前記複数の機能実行部の中から、当該選択操作により選択された機能の実行に必要な機能実行部を特定し、当該特定された機能実行部への電力の供給の制限を解除する制御部と、を備えること
を特徴とする画像処理装置。
【請求項２】
前記機能選択部が何れかの機能の選択操作を受けたことを検出する検出部と、
前記複数の機能実行部に電力を供給し、前記省電力モードにおいて電力の供給を制限する主電源と、
前記機能選択部及び前記検出部に電力を供給し、前記省電力モードにおいて電力を供給するサブ電源と、をさらに備え、
前記制御部は、前記サブ電源から電力の供給を受ける省電力制御部、及び、前記主電源から電力の供給を受ける主制御部を備え、
前記省電力制御部は、前記省電力モードにおいて前記機能選択部が何れかの機能の選択操作を受けたことを前記検出部が検出した場合に、前記主電源から前記主制御部への電力の供給の制限を解除し、
前記主制御部は、前記主電源からの電力の供給の制限が解除された後に起動して、前記選択操作により選択された機能を特定し、前記複数の機能実行部の中から、当該特定された機能の実行に必要な機能実行部を特定し、当該特定された機能実行部への前記主電源からの電力の供給の制限を解除すること
を特徴とする請求項１に記載の画像処理装置。
【請求項３】
前記主制御部は、前記機能選択部が前記選択操作を一定の時間継続して受けた場合に、前記特定された機能実行部への前記主電源からの電力の供給の制限を解除すること
を特徴とする請求項２に記載の画像処理装置。
【請求項４】
前記画像処理装置の使用者に、前記省電力モードが解除されたことを通知する通知部をさらに備え、
前記主制御部は、前記選択操作により選択された機能を特定した場合に、前記通知部に通知を行わせること
を特徴とする請求項３に記載の画像処理装置。
【請求項５】
前記通知部は、光を発するものであること
を特徴とする請求項４に記載の画像処理装置。
【請求項６】
前記通知部は、音を発するものであること
を特徴とする請求項４に記載の画像処理装置。
【発明の詳細な説明】
【技術分野】
【０００１】
本発明は、画像処理装置に関する。
【背景技術】
【０００２】
従来の複合型画像形成装置は、電源起動後に通常動作モードとなり、この状態で何の操作も無く一定時間が経過すると、消費電力が低い省電力モードへ移行して待機するように構成されているものがある。
そして、この複合型画像形成装置は、操作パネルに備えられた、省電力モードから通常モードへ復帰するための専用ボタンが押下されると、システムの機能の全てが復帰するようになっている。
ここで、特許文献１には、省電力モードから通常動作モードへ復帰するための専用ボタンが押下された後に、特定機能を実行するボタンが押下されると、その特定機能に必要な機能部分だけを省電力モードから通常動作モードへ復帰させる技術が記載されている。
【先行技術文献】
【特許文献】
【０００３】
【特許文献１】特開２００７−３３４０９４号公報
【発明の概要】
【発明が解決しようとする課題】
【０００４】
しかしながら、従来技術では、使用者は、省電力モードから通常動作モードへ復帰させるための専用ボタンを押下した後に、特定機能を実行するボタンを押下する必要がある。このため、使用者が複数回ボタンを押下する必要があり、手間が掛かるという問題があった。また、複数回に分けてボタンを押下するため、通常動作モードへの復帰処理の開始が遅くなるという問題があった。
【０００５】
そこで、本発明は、容易かつ迅速に、必要な機能部分を省電力モードから通常動作モードへ復帰させることを目的とする。
【課題を解決するための手段】
【０００６】
本発明の一態様に係る画像処理装置は、複数の機能を実行する複数の機能実行部と、前記複数の機能から、実行する機能の選択操作を受ける機能選択部と、前記複数の機能実行部への電力の供給が制限されている省電力モードにおいて、前記機能選択部が選択操作を受けた場合に、前記複数の機能実行部の中から、当該選択操作により選択された機能の実行に必要な機能実行部を特定し、当該特定された機能実行部への電力の供給の制限を解除する制御部と、を備えることを特徴とする。
【発明の効果】
【０００７】
本発明の一態様によれば、容易かつ迅速に、必要な機能部分を省電力モードから通常動作モードへ復帰させることができる。
【図面の簡単な説明】
【０００８】
【図１】実施の形態１に係る画像形成装置の機能を概略的に示すブロック図である。
【図２】実施の形態１における操作部を概略的に示す正面図である。
【図３】実施の形態１における機能選択部の電気的構成、及び、機能選択部と周辺との接続を示す概略図である。
【図４】実施の形態１に係る画像形成装置が省電力モードから復帰する際の処理を示すフローチャートである。
【図５】実施の形態１に係る画像形成装置が省電力モードから復帰する際の処理の変形例を示すフローチャートである。
【図６】実施の形態２に係る画像形成装置の機能を概略的に示すブロック図である。
【図７】実施の形態２における操作部を概略的に示す正面図である。
【図８】実施の形態２における機能選択部の電気的構成、及び、機能選択部と周辺との接続を示す概略図である。
【図９】実施の形態２に係る画像形成装置が省電力モードから復帰する際の処理を示すフローチャートである。
【発明を実施するための形態】
【０００９】
実施の形態１．
（構成の説明）
図１は、実施の形態１に係る画像処理装置としての画像形成装置１００の機能を概略的に示すブロック図である。画像形成装置１００は、Ｉ／Ｆ部１０１と、ファックス通信部１０２と、読取部１０３と、印刷部１０４と、制御部１０５と、操作部１２０と、ＯＲ回路１３０と、サブ電源１５０と、主電源１５１とを備える。Ｉ／Ｆ部１０１、ファックス通信部１０２、読取部１０３及び印刷部１０４は、それぞれ、画像形成装置１００の機能を実行する機能実行部である。本実施の形態における画像形成装置１００は、複数備える機能実行部を組み合わせて、必要な機能を実行する。
【００１０】
Ｉ／Ｆ部１０１は、外部機器との間でデータの入出力を行う。例えば、Ｉ／Ｆ部１０１は、ＬＡＮ（Ｌｏｃａｌ  Ａｒｅａ  Ｎｅｔｗｏｒｋ）等を介して、クライアントＰＣ（図示せず）等と、種々のデータの送受信を行う。また、Ｉ／Ｆ部１０１は、ＵＳＢ（Ｕｎｉｖｅｒｓａｌ  Ｓｅｒｉａｌ  Ｂｕｓ）メモリ等の外部メモリとの間でデータの受け渡しを行う。
ファックス通信部１０２は、ファクシミリ通信を行う。例えば、ファックス通信部１０２は、電話回線等の公衆回線を介して、ファクシミリ装置（図示せず）と、データの送受信を行う。
【００１１】
読取部１０３は、原稿の画像を読み取る。例えば、読取部１０３は、スキャナ等を用いて原稿の画像を読み取る。
印刷部１０４は、画像データに基づいて画像の印刷（画像形成）を行う画像形成部である。例えば、印刷部１０４は、Ｉ／Ｆ部１０１、ファックス通信部１０２又は読取部１０３を介して取得された画像データに基づいて画像の印刷を行う。
【００１２】
制御部１０５は、複数の機能実行部（本実施の形態では、Ｉ／Ｆ部１０１、ファックス通信部１０２、読取部１０３及び印刷部１０４）への電力の供給が制限されている省電力モードにおいて、操作部１２０が実行する機能の選択操作を受けた場合に、選択された機能の実行に必要な機能実行部を特定し、特定された機能実行部への電力の供給の制限を解除する。制御部１０５は、主制御部１１０及び省電力制御部１４０を備える。
【００１３】
主制御部１１０は、画像形成装置１００での処理を統括的に制御する。特に、主制御部１１０は、画像形成装置１００に実装される複数機能の制御を行う。主制御部１１０は、入出力制御部１１１と、ファックス制御部１１２と、読取制御部１１３と、印刷制御部１１４と、機能制御部１１５とを備える。ここで、主制御部１１０は、主電源１５１より電力の供給を受ける。
【００１４】
入出力制御部１１１は、Ｉ／Ｆ部１０１を制御することで、データの入出力を処理する。具体的には、入出力制御部１１１は、Ｉ／Ｆ部１０１を介して、クライアントＰＣ等との間で、種々のデータの送受信を制御する。例えば、入出力制御部１１１は、Ｉ／Ｆ部１０１を介して、クライアントＰＣ等から送信されてきた画像データの受信、及び、読取部１０３で読み取られた画像データのクライアントＰＣ等への送信を制御する。また、入出力制御部１１１は、Ｉ／Ｆ部１０１を介して、外部メモリとの間でデータの入出力を制御する。さらに、入出力制御部１１１は、Ｉ／Ｆ部１０１の起動及び停止を制御する。
【００１５】
ファックス制御部１１２は、ファックス通信部１０２を制御して、ファックス通信を処理する。例えば、ファックス制御部１１２は、図示せぬ符号化／復号化部、変調部及びＮＣＵ（Ｎｅｔｗｏｒｋ  Ｃｏｎｔｒｏｌ  Ｕｎｉｔ）を含み、読取部１０３で読み取られた画像データを、ファックス通信部１０２を介して、外部のファクシミリ装置へ送信する処理、及び、外部のファクシミリ装置から送信された画像データを、ファックス通信部１０２を介して、受信する処理を行う。また、ファックス制御部１１２は、ファックス通信部１０２の起動及び停止を制御する。
【００１６】
読取制御部１１３は、読取部１０３を制御して、読取部１０３で読み取られた画像データの処理を行う。例えば、読取制御部１１３は、図示せぬシェーディング補正部、γ補正部及び色変換部等の画像処理部を含み、読取部１０３で読み取られた画像データに対して画像処理を行う。処理後の画像データは、入出力制御部１１１及びＩ／Ｆ部１０１によりクライアントＰＣ等へ出力され、ファックス制御部１１２及びファックス通信部１０２により外部のファクシミリ装置に送信され、又は、印刷制御部１１４及び印刷部１０４により印刷される。また、読取制御部１１３は、読取部１０３の起動及び停止を制御する。
【００１７】
印刷制御部１１４は、印刷部１０４を制御して印刷（画像形成）を行う画像形成制御部である。例えば、印刷制御部１１４は、印刷部１０４で印刷するための諸設定を行う。また、印刷制御部１１４は、画像データの印刷部１０４への供給を制御する。さらに、印刷制御部１１４は、印刷部１０４の起動及び停止を制御する。
【００１８】
機能制御部１１５は、画像形成装置１００での機能を統括的に制御する。例えば、機能制御部１１５は、使用者の操作部１２０への操作状態を監視する。そして、機能制御部１１５は、その監視結果に応じて、選択された機能を特定する。さらに、機能制御部１１５は、この特定された機能を実行するために、入出力制御部１１１、ファックス制御部１１２、読取制御部１１３及び印刷制御部１１４の少なくとも１つに対して、Ｉ／Ｆ部１０１、ファックス通信部１０２、読取部１０３及び印刷部１０４の少なくとも１つの起動を指示する。また、機能制御部１１５は、画像形成装置１００が動作していない状態が一定時間継続した場合に、画像形成装置１００を省電力モードへ移行させるため、省電力制御部１４０に対して省電力モードへの移行を指示する。
【００１９】
操作部１２０は、画像形成装置１００を使用する使用者から、実行する機能の選択操作を受ける。操作部１２０は、機能操作部１２１と、機能選択部１２２とを備える。
【００２０】
図２は、実施の形態１における操作部１２０を概略的に示す正面図である。
機能操作部１２１は、機能選択部１２２を介して選択された機能を実行するために、必要な操作を受ける。例えば、機能操作部１２１は、タッチパネル部１２１ａと、テンキー１２１ｂと、スタートボタン１２１ｃと、キャンセルボタン１２１ｄとを備える。
【００２１】
タッチパネル部１２１ａは、入力部としてのタッチパネルと、表示部としてのＬＣＤ（Ｌｉｑｕｉｄ  Ｃｒｙｓｔａｌ  Ｄｉｓｐｌａｙ）とを組み合わせたタッチパネルユニット等で構成される。タッチパネル部１２１ａは、機能選択部１２２を介して選択された各機能に関する種々の操作画面を表示して、使用者から所望する設定に対応する部分へのタッチを受けることで、種々の設定を可能にする。
【００２２】
テンキー１２１ｂは、「０」〜「９」の数字に対応するボタン、「＊」の記号に対応するボタン及び「＃」の記号に対応するボタンを備える。テンキー１２１ｂは、例えば、ファックス機能を使用する場合には電話番号の入力に、コピー機能又はスキャン機能を使用する場合には部数の入力に使用される。
【００２３】
スタートボタン１２１ｃは、機能選択部１２２で選択された機能の実行を指示するためのボタンである。スタートボタン１２１ｃが押下された場合には、タッチパネル部１２１ａ及びテンキー１２１ｂ等を介して入力された種々の設定に従って、機能が実行される。
【００２４】
キャンセルボタン１２１ｄは、スタートボタン１２１ｃを押下することで開始された機能の実行を途中で停止するためのボタンである。キャンセルボタン１２１ｄが押下されることで、画像形成装置１００は、現在実行している処理を停止する。
【００２５】
機能選択部１２２は、画像形成装置１００で実行される機能の選択を受ける。本実施の形態では、機能選択部１２２は、コピー、スキャン、ファックス及びプリンタの何れかの機能の選択を受ける。例えば、機能選択部１２２は、コピーボタン１２２ａと、スキャンボタン１２２ｂと、ファックスボタン１２２ｃと、プリンタボタン１２２ｄとを備え、何れかのボタンが押下されることで、機能の選択を受ける。なお、コピーボタン１２２ａ、スキャンボタン１２２ｂ、ファックスボタン１２２ｃ及びプリンタボタン１２２ｄは、機能を選択するための機能ボタンである。
【００２６】
コピーボタン１２２ａは、コピー機能が選択されるときに押下されるボタンである。また、画像形成装置１００が省電力モードの場合には、このボタンが一定時間押下されることで、画像形成装置１００のコピー機能で必要となる部分のみが起動される。
【００２７】
スキャンボタン１２２ｂは、スキャン機能が選択されるときに押下されるボタンである。ここで、スキャン機能としては、読取部１０３で読み取られた画像データをＩ／Ｆ部１０１を介してクライアントＰＣに送信するスキャンｔｏＰＣ、読取部１０３で読み取られた画像データを電子メールに添付してＩ／Ｆ部１０１を介してクライアントＰＣに送信するスキャンｔｏＥ−Ｍａｉｌ、読取部１０３で読み取られた画像データをＩ／Ｆ部１０１を介してＵＳＢメモリに書き込むスキャンｔｏＵＳＢ等がある。また、画像形成装置１００が省電力モードの場合には、このボタンが一定時間押下されることで、画像形成装置１００のスキャン機能で必要となる部分のみが起動される。
【００２８】
ファックスボタン１２２ｃは、ファックス機能が選択されるときに押下されるボタンである。また、画像形成装置１００が省電力モードの場合には、このボタンが一定時間押下されることで、画像形成装置１００のファックス機能で必要となる部分のみが起動される。
【００２９】
プリンタボタン１２２ｄは、プリンタ機能が選択されるときに押下されるボタンである。例えば、プリンタボタン１２２ｄは、クライアントＰＣ等から印刷する画像データを受信する前に、画像形成装置１００を印刷できる状態にするために押下される。また、画像形成装置１００が省電力モードの場合には、このボタンが一定時間押下されることで、画像形成装置１００のプリンタ機能に必要な部分のみが起動される。
【００３０】
ＯＲ回路１３０は、操作部１２０のコピーボタン１２２ａ、スキャンボタン１２２ｂ、ファックスボタン１２２ｃ及びプリンタボタン１２２ｄの押下状態をＯＲ論理で省電力制御部１４０に通知する。言い換えると、ＯＲ回路１３０は、コピーボタン１２２ａ、スキャンボタン１２２ｂ、ファックスボタン１２２ｃ及びプリンタボタン１２２ｄの何れか１つが押下されると、ボタンが押下されていることを省電力制御部１４０に通知する。このため、ＯＲ回路１３０は、コピーボタン１２２ａ、スキャンボタン１２２ｂ、ファックスボタン１２２ｃ及びプリンタボタン１２２ｄの何れかが押下されたこと、言い換えると、操作部１２０が何れかの機能の選択操作を受けたことを検出する検出部として機能する。
【００３１】
省電力制御部１４０は、画像形成装置１００の電源を制御する。例えば、省電力制御部１４０は、画像形成装置１００を省電力モードへ移行させる処理、及び、画像形成装置１００を省電力モードから復帰させる処理を制御する。省電力制御部１４０は、要因制御部１４０ａと、電源制御部１４０ｂとを備える。
【００３２】
要因制御部１４０ａは、主制御部１１０及びＯＲ回路１３０からの出力に応じて、電源制御部１４０ｂに主電源１５１からの電力の供給の制限、及び、当該制限の解除を指示する。例えば、要因制御部１４０ａは、主制御部１１０から省電力モードへの移行指示があると、主電源１５１からの電力の供給を制限するよう電源制御部１４０ｂへ指示する。また、要因制御部１４０ａは、画像形成装置１００が省電力モード中に、ＯＲ回路１３０から入力される信号の状態がコピーボタン１２２ａ、スキャンボタン１２２ｂ、ファックスボタン１２２ｃ及びプリンタボタン１２２ｄの何れかが押下されていることを示す状態である場合に、主電源１５１からの電力の供給の制限を解除するよう電源制御部１４０ｂへ指示する。
【００３３】
電源制御部１４０ｂは、要因制御部１４０ａからの指示に応じて、主電源１５１からの電力の供給を制御する。例えば、電源制御部１４０ｂは、要因制御部１４０ａから電力の供給を制限するよう指示を受けると、主電源１５１をオフにする。一方、電源制御部１４０ｂは、要因制御部１４０ａから電力の供給の制限を解除するよう指示を受けると、主電源１５１をオンにする。
【００３４】
サブ電源１５０は、画像形成装置１００が省電力モードであるか否かに関わらず、画像形成装置１００が使用されている間は常に起動されている電源である。本実施の形態においては、サブ電源１５０は、省電力モードでも動作させる必要のある部分だけに電力を供給する。例えば、省電力モードでも動作させる必要のある部分は、省電力制御部１４０、操作部１２０の機能選択部１２２及びＯＲ回路１３０である。
【００３５】
主電源１５１は、画像形成装置１００が省電力モードであるときには電力の供給を制限し、画像形成装置１００が省電力モード以外のときには起動している電源である。例えば、本実施の形態においては、主電源１５１が停止（オフ）状態となることで、電力の供給が制限され、主電源１５１が起動（オン）状態となることで、電力の供給の制限が解除される。
ここで、主電源１５１は、画像形成装置１００のほとんどの部分へ電力を供給する。本実施の形態において、主電源１５１が電力を供給する部分は、主制御部１１０及び操作部１２０の機能操作部１２１である。なお、本実施の形態では、Ｉ／Ｆ部１０１、ファックス通信部１０２、読取部１０３及び印刷部１０４へは、主制御部１１０を介して、主電源１５１から電力が供給されるように構成されているが、これらの部分に主電源１５１から直節電力が供給されるように構成されていてもよい。
【００３６】
図３は、実施の形態１における機能選択部１２２の電気的構成、及び、機能選択部１２２と周辺との接続を示す概略図である。
機能選択部１２２のコピーボタン１２２ａ、スキャンボタン１２２ｂ、ファックスボタン１２２ｃ及びプリンタボタン１２２ｄは、それぞれ２極スイッチ１２２１、１２２２、１２２３、１２２４により構成されている。各２極スイッチ１２２１、１２２２、１２２３、１２２４は、片側はプルダウン抵抗１２２５、１２２６、１２２７、１２２８を介して接地されており、もう片側はサブ電源１５０に接続されている。
【００３７】
２極スイッチ１２２１とプルダウン抵抗１２２５との間の信号Ｓ１、２極スイッチ１２２２とプルダウン抵抗１２２６との間の信号Ｓ２、２極スイッチ１２２３とプルダウン抵抗１２２７との間の信号Ｓ３、及び、２極スイッチ１２２４とプルダウン抵抗１２２８との間の信号Ｓ４は、それぞれ、サブ電源１５０で動作するＯＲ回路１３０及び主電源１５１で動作する機能制御部１１５に入力される。
【００３８】
ＯＲ回路１３０の出力信号Ｓ５は、サブ電源１５０で動作する要因制御部１４０ａに入力される。なお、図３においては、逆流防止用のダイオードを用いたワイヤードＯＲ回路によりＯＲ回路１３０を構成したが、このような例に限定されるものではない。
【００３９】
以上のような構成において、例えば、コピーボタン１２２ａ（２極スイッチ１２２１）が押下されると、信号Ｓ１はＨＩＧＨ状態となり、ＯＲ回路１３０の出力信号Ｓ５もＨＩＧＨ状態となる。これにより、要因制御部１４０ａはコピーボタン１２２ａ、スキャンボタン１２２ｂ、ファックスボタン１２２ｃ及びプリンタボタン１２２ｄの何れかが押下されていることを判別することができる。また、機能制御部１１５は、信号Ｓ１がＨＩＧＨ状態となっていることを判別し、コピーボタン１２２ａが押下されていることを判別する。
なお、コピーボタン１２２ａ以外のボタンが押下された場合も、要因制御部１４０ａは、何れかのボタンが押下されていることを判別し、機能制御部１１５は、特定のボタンが押下されていることを判別する。
【００４０】
（動作の説明）
図４は、実施の形態１に係る画像形成装置１００が省電力モードから復帰する際の処理を示すフローチャートである。
【００４１】
要因制御部１４０ａは、ＯＲ回路１３０からの信号を監視し、機能ボタン（コピーボタン１２２ａ、スキャンボタン１２２ｂ、ファックスボタン１２２ｃ及びプリンタボタン１２２ｄ）が押下開始されたかどうかを判別する（Ｓ１０）。機能ボタンが押下開始された場合（Ｓ１０：Ｙｅｓ）には、処理はステップＳ１１に進む。
【００４２】
ステップＳ１１では、要因制御部１４０ａは、電源制御部１４０ｂに主電源１５１をオンにするよう指示する。このような指示を受けた電源制御部１４０ｂは、主電源１５１をオンにする。
【００４３】
主電源１５１がオンされると主制御部１１０が起動される。そして、機能制御部１１５は、コピーボタン１２２ａが一定時間押下されているかどうかを判別する（Ｓ１２）。コピーボタン１２２ａが一定時間押下されている場合（Ｓ１２：Ｙｅｓ）には、処理はステップＳ１３に進み、コピーボタン１２２ａが一定時間押下されていない場合（Ｓ１２：Ｎｏ）には、処理はステップＳ１５に進む。
【００４４】
ステップＳ１３では、機能制御部１１５は、印刷制御部１１４に印刷部１０４を起動するように指示する。このような指示を受けた印刷制御部１１４は、印刷部１０４の起動を行い、印刷部１０４に必要な設定を行う。
また、機能制御部１１５は、読取制御部１１３に読取部１０３を起動するように指示する（Ｓ１４）。このような指示を受けた読取制御部１１３は、読取部１０３を起動して、読取部１０３に必要な設定を行う。
【００４５】
ステップＳ１２において、コピーボタン１２２ａが一定時間押下されていない場合（Ｓ１２：Ｎｏ）には、処理はステップＳ１５に進む。ステップＳ１５では、機能制御部１１５は、スキャンボタン１２２ｂが一定時間押下されているかどうかを判別する。スキャンボタン１２２ｂが一定時間押下されている場合（Ｓ１５：Ｙｅｓ）には、処理はステップＳ１６に進み、スキャンボタン１２２ｂが一定時間押下されていない場合（Ｓ１５：Ｎｏ）には、処理はステップＳ１８に進む。
【００４６】
ステップＳ１６では、機能制御部１１５は、読取制御部１１３に読取部１０３を起動するように指示する。このような指示を受けた読取制御部１１３は、読取部１０３を起動して、読取部１０３に必要な設定を行う。
また、機能制御部１１５は、入出力制御部１１１にＩ／Ｆ部１０１を起動するように指示する（Ｓ１７）。このような指示を受けた入出力制御部１１１は、Ｉ／Ｆ部１０１を起動して、Ｉ／Ｆ部１０１に必要な設定を行う。
【００４７】
ステップＳ１５において、スキャンボタン１２２ｂが一定時間押下されていない場合（Ｓ１５：Ｎｏ）には、処理はステップＳ１８に進む。ステップＳ１８では、機能制御部１１５は、ファックスボタン１２２ｃが一定時間押下されているかどうかを判別する。ファックスボタン１２２ｃが一定時間押下されている場合（Ｓ１８：Ｙｅｓ）には、処理はステップＳ１９に進み、ファックスボタン１２２ｃが一定時間押下されていない場合（Ｓ１８：Ｎｏ）には、処理はステップＳ２１に進む。
【００４８】
ステップＳ１９では、機能制御部１１５は、読取制御部１１３に読取部１０３を起動するように指示する。このような指示を受けた読取制御部１１３は、読取部１０３を起動して、読取部１０３に必要な設定を行う。
また、機能制御部１１５は、ファックス制御部１１２にファックス通信部１０２を起動するように指示する（Ｓ２０）。このような指示を受けたファックス制御部１１２は、ファックス通信部１０２を起動して、ファックス通信部１０２に必要な設定を行う。
【００４９】
ステップＳ１８において、ファックスボタン１２２ｃが一定時間押下されていない場合（Ｓ１８：Ｎｏ）には、処理はステップＳ２１に進む。ステップＳ２１では、機能制御部１１５は、プリンタボタン１２２ｄが一定時間押下されているかどうかを判別する。プリンタボタン１２２ｄが一定時間押下されている場合（Ｓ２１：Ｙｅｓ）には、処理はステップＳ２２に進み、プリンタボタン１２２ｄが一定時間押下されていない場合（Ｓ２１：Ｎｏ）には、処理はステップＳ２４に進む。
【００５０】
ステップＳ２２では、機能制御部１１５は、印刷制御部１１４に印刷部１０４を起動するように指示する。このような指示を受けた印刷制御部１１４は、印刷部１０４を起動して、印刷部１０４に必要な設定を行う。
また、機能制御部１１５は、入出力制御部１１１にＩ／Ｆ部１０１を起動するように指示する（Ｓ２３）。このような指示を受けた入出力制御部１１１は、Ｉ／Ｆ部１０１を起動して、Ｉ／Ｆ部１０１に必要な設定を行う。
【００５１】
ステップＳ２１において、プリンタボタン１２２ｄが一定時間押下されていない場合（Ｓ２１：Ｎｏ）には、処理はステップＳ２４に進む。ステップＳ２４では、機能制御部１１５は、省電力制御部１４０に主電源１５１をオフにするよう指示する。このような指示を受けた省電力制御部１４０では、電源制御部１４０ｂが主電源１５１をオフにする。そして、処理はステップＳ１０に戻る。
【００５２】
以上のように、省電力制御部１４０は、機能選択部１２２が何れかの機能の選択操作を受けたことをＯＲ回路１３０が検出した場合に、主電源１５１からの電力の供給を再開させる。そして、主制御部１１０は、省電力制御部１４０が主電源１５１からの電力の供給を再開させた後に起動し、起動の完了後に、選択された機能を特定し、特定された機能を実行する機能実行部を特定し、特定された機能実行部への主電源１５１からの電力の供給を再開させる。以上のフローによって、機能を選択する機能ボタンが一定時間以上押下されることにより、選択された機能の実行に必要な部分だけが通常動作モードへ移行する。
【００５３】
なお、図４に示されているフローでは、ステップＳ１２、Ｓ１５、Ｓ１８及びＳ２１において、機能ボタンが一定時間押下されていることを判断しているが、このような例に限定されず、例えば、機能ボタンが押下されていることを検出することで、次のステップで起動処理に進むようにされていてもよい。
【００５４】
さらに、図４に示されているフローにおいて、ステップＳ１３及びＳ１４の順番、ステップＳ１６及びＳ１７の順番、ステップＳ１９及びＳ２０の順番、並びに、ステップＳ２２及びＳ２３の順番については、何れが先であってもよい。
【００５５】
以上のように、実施の形態１によれば、機能ボタンが一定時間押下されることにより、画像形成装置１００は、不要な機能部分の少なくとも一部を省電力モードとしながら、必要な機能部分を省電力モードから通常動作モードへ復帰されるため、使用者は、機能ボタンを１回押下すればよい。このため、使用者は複数回ボタンを押下する手間が省け、また、通常動作モードへの復帰処理の開始が早くなる。
【００５６】
図４に示されているフローでは、機能制御部１１５において、機能ボタンが一定時間以上押下されているかを判断しているが、図５に示されているフローのように、要因制御部１４０ａがその判断を行ってもよい。
【００５７】
図５は、実施の形態１に係る画像形成装置１００が省電力モードから復帰する際の処理の変形例を示すフローチャートである。
【００５８】
要因制御部１４０ａは、ＯＲ回路１３０からの信号を監視し、機能ボタンが押下開始されたかどうかを判別する（Ｓ３０）。機能ボタンが押下開始された場合（Ｓ３０：Ｙｅｓ）には、処理はステップＳ３１に進む。
【００５９】
ステップＳ３１では、要因制御部１４０ａは、ＯＲ回路１３０からの信号に基づいて、機能ボタンが一定時間以上押下されたか否かを判断する。機能ボタンが一定時間以上押下された場合（Ｓ３１：Ｙｅｓ）には、処理はステップＳ３２に進む。機能ボタンが一定時間以上押下されていない場合（Ｓ３１：Ｎｏ）、言い換えると、機能ボタンが押下されていた時間が、一定時間未満である場合には、処理はステップＳ３０に戻る。
【００６０】
ステップＳ３２では、要因制御部１４０ａは、電源制御部１４０ｂに主電源１５１をオンにするよう指示する。このような指示を受けた電源制御部１４０ｂは、主電源１５１をオンにする。
【００６１】
主電源１５１がオンされると主制御部１１０が起動される。そして、機能制御部１１５は、コピーボタン１２２ａが押下されたかどうかを判別する（Ｓ３３）。コピーボタン１２２ａが押下された場合（Ｓ３３：Ｙｅｓ）には、処理はステップＳ３４に進み、コピーボタン１２２ａが押下されていない場合（Ｓ３３：Ｎｏ）には、処理はステップＳ３６に進む。
【００６２】
ステップＳ３４では、機能制御部１１５は、印刷制御部１１４に印刷部１０４を起動するように指示する。このような指示を受けた印刷制御部１１４は、印刷部１０４の起動を行い、印刷部１０４に必要な設定を行う。
また、機能制御部１１５は、読取制御部１１３に読取部１０３を起動するように指示する（Ｓ３５）。このような指示を受けた読取制御部１１３は、読取部１０３を起動して、読取部１０３に必要な設定を行う。
【００６３】
ステップＳ３３において、コピーボタン１２２ａが押下されていない場合（Ｓ３３：Ｎｏ）には、処理はステップＳ３６に進む。ステップＳ３６では、機能制御部１１５は、スキャンボタン１２２ｂが押下されたかどうかを判別する。スキャンボタン１２２ｂが押下された場合（Ｓ３６：Ｙｅｓ）には、処理はステップＳ３７に進み、スキャンボタン１２２ｂが押下されていない場合（Ｓ３６：Ｎｏ）には、処理はステップＳ３９に進む。
【００６４】
ステップＳ３７では、機能制御部１１５は、読取制御部１１３に読取部１０３を起動するように指示する。このような指示を受けた読取制御部１１３は、読取部１０３を起動して、読取部１０３に必要な設定を行う。
また、機能制御部１１５は、入出力制御部１１１にＩ／Ｆ部１０１を起動するように指示する（Ｓ３８）。このような指示を受けた入出力制御部１１１は、Ｉ／Ｆ部１０１を起動して、Ｉ／Ｆ部１０１に必要な設定を行う。
【００６５】
ステップＳ３６において、スキャンボタン１２２ｂが押下されていない場合（Ｓ３６：Ｎｏ）には、処理はステップＳ３９に進む。ステップＳ３９では、機能制御部１１５は、ファックスボタン１２２ｃが押下されたかどうかを判別する。ファックスボタン１２２ｃが押下された場合（Ｓ３９：Ｙｅｓ）には、処理はステップＳ４０に進み、ファックスボタン１２２ｃが押下されていない場合（Ｓ３９：Ｎｏ）には、処理はステップＳ４２に進む。
【００６６】
ステップＳ４０では、機能制御部１１５は、読取制御部１１３に読取部１０３を起動するように指示する。このような指示を受けた読取制御部１１３は、読取部１０３を起動して、読取部１０３に必要な設定を行う。
また、機能制御部１１５は、ファックス制御部１１２にファックス通信部１０２を起動するように指示する（Ｓ４１）。このような指示を受けたファックス制御部１１２は、ファックス通信部１０２を起動して、ファックス通信部１０２に必要な設定を行う。
【００６７】
ステップＳ３９において、ファックスボタン１２２ｃが押下されていない場合（Ｓ３９：Ｎｏ）には、処理はステップＳ４２に進む。ステップＳ４２では、機能制御部１１５は、印刷制御部１１４に印刷部１０４を起動するように指示する。このような指示を受けた印刷制御部１１４は、印刷部１０４を起動して、印刷部１０４に必要な設定を行う。
また、機能制御部１１５は、入出力制御部１１１にＩ／Ｆ部１０１を起動するように指示する（Ｓ４３）。このような指示を受けた入出力制御部１１１は、Ｉ／Ｆ部１０１を起動して、Ｉ／Ｆ部１０１に必要な設定を行う。
【００６８】
以上のように、図５に示されている変形例によれば、機能ボタンが押下されたが、一定時間押下されていない場合に、主電源１５１がオフにされたままであるため、より省電力となる。
【００６９】
実施の形態２．
（構成の説明）
図６は、実施の形態２に係る画像形成装置２００の機能を概略的に示すブロック図である。画像形成装置２００は、Ｉ／Ｆ部１０１と、ファックス通信部１０２と、読取部１０３と、印刷部１０４と、制御部２０５と、操作部２２０と、ＯＲ回路１３０と、サブ電源１５０と、主電源１５１とを備える。実施の形態２に係る画像形成装置２００は、制御部２０５及び操作部２２０において、実施の形態１に係る画像形成装置１００と異なっている。
【００７０】
制御部２０５は、主制御部２１０と、省電力制御部１４０とを備える。実施の形態２における制御部２０５は、主制御部２１０での処理において、実施の形態１における制御部１０５と異なっている。
【００７１】
主制御部２１０は、画像形成装置２００での処理を統括的に制御する。特に、主制御部２１０は、画像形成装置２００に実装される複数機能の制御を行う。主制御部２１０は、入出力制御部１１１と、ファックス制御部１１２と、読取制御部１１３と、印刷制御部１１４と、機能制御部２１５と、ＬＥＤ制御部２１６とを備える。実施の形態２における主制御部２１０は、機能制御部２１５での処理の点及びＬＥＤ制御部２１６がさらに備えられている点において、実施の形態１における主制御部１１０と異なっている。
【００７２】
機能制御部２１５は、画像形成装置１００での機能を統括的に制御する。実施の形態２における機能制御部２１５は、実施の形態１における機能制御部１１５と同様の処理を行う他、使用者の操作部１２０への操作状態の監視結果に応じて、ＬＥＤ制御部２１６に使用者への通知を指示する。例えば、機能制御部２１５は、機能ボタンの押下時間が一定時間以上となった場合に、ＬＥＤ制御部２１６に使用者へ省電力モードが解除されたことを示す通知を指示する。
【００７３】
ＬＥＤ制御部２１６は、機能制御部２１５からの指示に応じて、操作部２２０に対して、使用者への通知指示及び当該通知の解除指示を行う通知制御部である。
【００７４】
操作部２２０は、画像形成装置２００を使用する使用者から、各機能を実行するための操作を受ける。操作部２２０は、機能操作部１２１と、機能選択部１２２と、ＬＥＤ２２３とを備える。実施の形態２における操作部２２０は、ＬＥＤ２２３がさらに備えられている点において、実施の形態１における操作部１２０と異なっている。
【００７５】
図７は、実施の形態２における操作部２２０を概略的に示す正面図である。
実施の形態２における操作部２２０は、実施の形態１と同様に、機能操作部１２１及び機能選択部１２２を備えるほか、ＬＥＤ２２３をさらに備えている。
【００７６】
ＬＥＤ２２３は、省電力モードが解除されたことを使用者に通知する通知部である。本実施の形態では、ＬＥＤ２２３は、機能ボタン（コピーボタン１２２ａ、スキャンボタン１２２ｂ、ファックスボタン１２２ｃ及びプリンタボタン１２２ｄ）が一定時間以上押下された場合に、点灯される。このため、使用者は、省電力モード時に、ＬＥＤ２２３が点灯するまで機能ボタンを押下し続けることにより、機能ボタンで選択された機能の実行に必要な部分だけを起動させることができる。
【００７７】
図８は、実施の形態２における機能選択部１２２の電気的構成、及び、機能選択部１２２と周辺との接続を示す概略図である。
図８に示されているように、ＬＥＤ２２３は、ＬＥＤランプ２２３１により構成されている。そして、このＬＥＤランプ２２３１は、主電源１５１に接続されており、ＬＥＤ制御部２１６により制御される。
【００７８】
（動作の説明）
図９は、実施の形態２に係る画像形成装置２００が省電力モードから復帰する際の処理を示すフローチャートである。
【００７９】
要因制御部１４０ａは、ＯＲ回路１３０からの信号を監視し、機能ボタンが押下開始されたかどうかを判別する（Ｓ５０）。機能ボタンが押下開始された場合（Ｓ５０：Ｙｅｓ）には、処理はステップＳ５１に進む。
【００８０】
ステップＳ５１では、要因制御部１４０ａは、電源制御部１４０ｂに主電源１５１をオンするように指示する。このような指示を受けた電源制御部１４０ｂは、主電源１５１をオンにする。
【００８１】
主電源１５１がオンにされると主制御部２１０が起動される。そして、機能制御部２１５は、コピーボタン１２２ａが一定時間押下されているかどうかを判別する（Ｓ５２）。コピーボタン１２２ａが一定時間押下されている場合（Ｓ５２：Ｙｅｓ）には、処理はステップＳ５３に進み、コピーボタン１２２ａが一定時間押下されていない場合（Ｓ５２：Ｎｏ）には、処理はステップＳ５６に進む。
【００８２】
ステップＳ５３では、機能制御部２１５は、ＬＥＤ制御部２１６にＬＥＤ２２３の点灯を指示する。このような指示を受けたＬＥＤ制御部２１６は、操作部２２０のＬＥＤ２２３を点灯させる。
また、機能制御部２１５は、印刷制御部１１４に印刷部１０４を起動するように指示する（Ｓ５４）。このような指示を受けた印刷制御部１１４は、印刷部１０４の起動を行い、印刷部１０４に必要な設定を行う。
さらに、機能制御部２１５は、読取制御部１１３に読取部１０３を起動するように指示する（Ｓ５５）。このような指示を受けた読取制御部１１３は、読取部１０３を起動して、読取部１０３に必要な設定を行う。
【００８３】
ステップＳ５２において、コピーボタン１２２ａが一定時間押下されていない場合（Ｓ５２：Ｎｏ）には、処理はステップＳ５６に進む。ステップＳ５６では、機能制御部２１５は、スキャンボタン１２２ｂが一定時間押下されているかどうかを判別する。スキャンボタン１２２ｂが一定時間押下されている場合（Ｓ５６：Ｙｅｓ）には、処理はステップＳ５７に進み、スキャンボタン１２２ｂが一定時間押下されていない場合（Ｓ５６：Ｎｏ）には、処理はステップＳ６０に進む。
【００８４】
ステップＳ５７では、機能制御部２１５は、ＬＥＤ制御部２１６にＬＥＤ２２３の点灯を指示する。このような指示を受けたＬＥＤ制御部２１６は、操作部２２０のＬＥＤ２２３を点灯させる。
また、機能制御部２１５は、読取制御部１１３に読取部１０３を起動するように指示する（Ｓ５８）。このような指示を受けた読取制御部１１３は、読取部１０３を起動して、読取部１０３に必要な設定を行う。
さらに、機能制御部２１５は、入出力制御部１１１にＩ／Ｆ部１０１を起動するように指示する（Ｓ５９）。このような指示を受けた入出力制御部１１１は、Ｉ／Ｆ部１０１を起動して、Ｉ／Ｆ部１０１に必要な設定を行う。
【００８５】
ステップＳ５６において、スキャンボタン１２２ｂが一定時間押下されていない場合（Ｓ５６：Ｎｏ）には、処理はステップＳ６０に進む。ステップＳ６０では、機能制御部２１５は、ファックスボタン１２２ｃが一定時間押下されているかどうかを判別する。ファックスボタン１２２ｃが一定時間押下されている場合（Ｓ６０：Ｙｅｓ）には、処理はステップＳ６１に進み、ファックスボタン１２２ｃが一定時間押下されていない場合（Ｓ６０：Ｎｏ）には、処理はステップＳ６４に進む。
【００８６】
ステップＳ６１では、機能制御部２１５は、ＬＥＤ制御部２１６にＬＥＤ２２３の点灯を指示する。このような指示を受けたＬＥＤ制御部２１６は、操作部２２０のＬＥＤ２２３を点灯させる。
また、機能制御部２１５は、読取制御部１１３に読取部１０３を起動するように指示する（Ｓ６２）。このような指示を受けた読取制御部１１３は、読取部１０３を起動して、読取部１０３に必要な設定を行う。
さらに、機能制御部２１５は、ファックス制御部１１２にファックス通信部１０２を起動するように指示する（Ｓ６３）。このような指示を受けたファックス制御部１１２は、ファックス通信部１０２を起動して、ファックス通信部１０２に必要な設定を行う。
【００８７】
ステップＳ６０において、ファックスボタン１２２ｃが一定時間押下されていない場合（Ｓ６０：Ｎｏ）には、処理はステップＳ６４に進む。ステップＳ６４では、機能制御部２１５は、プリンタボタン１２２ｄが一定時間押下されているかどうかを判別する。プリンタボタン１２２ｄが一定時間押下されている場合（Ｓ６４：Ｙｅｓ）には、処理はステップＳ６５に進み、プリンタボタン１２２ｄが一定時間押下されていない場合（Ｓ６４：Ｎｏ）には、処理はステップＳ６８に進む。
【００８８】
ステップＳ６５では、機能制御部２１５は、ＬＥＤ制御部２１６にＬＥＤ２２３の点灯を指示する。このような指示を受けたＬＥＤ制御部２１６は、操作部２２０のＬＥＤ２２３を点灯させる。
また、機能制御部２１５は、印刷制御部１１４に印刷部１０４を起動するように指示する（Ｓ６６）。このような指示を受けた印刷制御部１１４は、印刷部１０４を起動して、印刷部１０４に必要な設定を行う。
さらに、機能制御部２１５は、入出力制御部１１１にＩ／Ｆ部１０１を起動するように指示する（Ｓ６７）。このような指示を受けた入出力制御部１１１は、Ｉ／Ｆ部１０１を起動して、Ｉ／Ｆ部１０１に必要な設定を行う。
【００８９】
ステップＳ６４において、プリンタボタン１２２ｄが一定時間押下されていない場合（Ｓ６４：Ｎｏ）には、処理はステップＳ６８に進む。ステップＳ６８では、機能制御部２１５は、省電力制御部１４０に主電源１５１をオフにするように指示する。このような指示を受けた省電力制御部１４０では、電源制御部１４０ｂが主電源１５１をオフにする。そして、処理はステップＳ５０に戻る。
【００９０】
以上のように、実施の形態２によれば、操作部２２０にＬＥＤ２２３が設けられ、省電力モードからの復帰要因が判別された後にＬＥＤ２２３が点灯されるため、使用者が機能ボタンの押下を解除するタイミングを視覚的に判断できる。これにより、使用者は容易に所望の機能で画像形成装置２００の不要な機能部分の少なくとも一部を省電力モードとしながら、必要な機能部分を省電力モードから通常動作モードへ復帰させることができる。
【００９１】
以上に記載した実施の形態２においては、機能ボタンが一定時間押下された場合に、ＬＥＤ２２３が点灯されるようになっているが、使用者への通知方法はこれに限定されるものではない。例えば、音を発するスピーカ等の音出力部を備えることにより、音で機能ボタンが一定時間押下されたことを使用者に通知してもよい。
【００９２】
また、以上に記載した実施の形態１及び２では、ＯＲ回路１３０が使用されているが、各機能ボタンが押下された状態をＬＯＷレベルとして使用する場合には、ＡＮＤ回路が使用されてもよい。
【００９３】
さらに、以上に記載された実施の形態１及び２では、画像処理装置として画像形成装置１００、２００を例に挙げ、画像形成装置１００、２００は、データの入出力機能、ファックス通信機能、スキャン機能及び印刷（画像形成）機能を備えているものとして説明しているが、このような例に限定されるものではない。例えば、画像処理装置は、画像を処理する機能を複数実行できるものであればよい。例えば、画像処理装置は、データの入出力機能、ファックス通信機能、スキャン機能及び印刷（画像形成）機能の内、少なくとも２つ以上の機能を備えていればよい。
【００９４】
以上に記載された実施の形態１及び２においては、省電力モードにおいて、主電源１５１が停止状態なることにより、電力の供給が制限されているが、このような例に限定されるものではない。省電力モードでは、主電源１５１が停止していなくても、電力の供給が制限されていればよい。
【符号の説明】
【００９５】
１００，２００：画像形成装置、  １０１：Ｉ／Ｆ部、  １０２：ファックス通信部、  １０３：読取部、  １０４：印刷部、  １０５，２０５：制御部、  １１０，２１０：主制御部、  １１１：入出力制御部、  １１２：ファックス制御部、  １１３：読取制御部、  １１４：印刷制御部、  １１５：機能制御部、  ２１６：ＬＥＤ制御部、  １２０，２２０：操作部、  １２１：機能操作部、  １２２：機能選択部、  ２２３：ＬＥＤ、  １３０：ＯＲ回路、  １４０：省電力制御部、  １４０ａ：要因制御部、  １４０ｂ：電源制御部、  １５０：サブ電源、  １５１：主電源。
【図１】
2014079963.tif 000003
【図２】
2014079963.tif 000004
【図３】
2014079963.tif 000005
【図４】
2014079963.tif 000006
【図５】
2014079963.tif 000007
【図６】
2014079963.tif 000008
【図７】
2014079963.tif 000009
【図８】
2014079963.tif 000010
【図９】
2014079963.tif 000011